(57)【要約】【課題】プラズマディスプレイパネルを提供する。【解決手段】本発明の実施形態によるプラズマディスプレイパネルは、互いに対向する対向面をそれぞれ有し、その間の空間に区切られる複数の放電セルを備える前面基板と背面基板、前記前面基板と前記背面基板の間で第１方向に沿ってのびて形成されるアドレス電極、前記前面基板と前記背面基板の間で前記アドレス電極と電気的に離隔され、前記第１方向と交差する第２方向に沿って形成される維持電極と走査電極を含む。この場合、一個の画素を構成する３個の放電セルの中心は三角形状に配置され、前記３個の放電セルのうちの２個は同一なアドレス電極に対応して駆動され、前記走査電極は各画素別に（３/２）本が対応して駆動できる。これにより、アドレス消費電力の増加を抑制し、全体的に回路価格を低くすることができる。【選択図】図２
2007019026.tif 000002
【特許請求の範囲】
【請求項１】
互いに対向する対向面をそれぞれ有し、その間の空間を区切って複数の放電セルとする前面基板と背面基板;
前記前面基板と前記背面基板の間で第１方向に沿って伸びて、形成されるアドレス電極;
前記前面基板と前記背面基板の間で前記アドレス電極から電気的に離隔され、前記第１方向と交差する第２方向に沿って形成される維持電極と走査電極；
を備え、
一個の画素を構成する３個の放電セルの各中心は三角形状に配置され、
前記３個の放電セルのうちの２個は、同一なアドレス電極に対応して駆動され、
前記走査電極は、各画素別に（３/２）本が対応して駆動される、プラズマディスプレイパネル。
【請求項２】
前記各画素に配置される２本の前記アドレス電極のうちの、一本のアドレス電極は前記第１方向に隣接する２個の前記放電セルを通過するように配置され、
他の一本のアドレス電極は、残り１個の放電セルを通過するように配置される、請求項１に記載のプラズマディスプレイパネル。
【請求項３】
前記各画素に配置される２本の前記走査電極のうちの、一本の走査電極は前記第２方向に隣接する２個の放電セルを通過するように配置され、
他の一本の走査電極は、残り１個の放電セルを通過するように配置される、請求項２に記載のプラズマディスプレイパネル。
【請求項４】
前記（３/２）本の走査電極が対応する各画素には（３/２）本の前記維持電極が対応する、請求項１に記載のプラズマディスプレイパネル。
【請求項５】
前記同一なアドレス電極に対応する２個の放電セルは、互いに異なる色相の蛍光体層を有する、請求項１に記載のプラズマディスプレイパネル。
【請求項６】
前記維持電極と走査電極は一緒に各放電セルに対応し、
ｎ×ｎに配列された画素配列で前記アドレス電極と前記走査電極は、
アドレス電極数:走査電極数=４:３
の比を有するように配列される、請求項１に記載のプラズマディスプレイパネル。
ここで、前記ｎは横方向または縦方向に引き続いて配列される画素の数を示す自然数である。
【請求項７】
前記維持電極および走査電極それぞれは、前記第２方向にのびて形成されるバス電極と、前記バス電極より広い幅に前記バス電極に沿ってのびて形成される透明電極を含む、請求項１に記載のプラズマディスプレイパネル。
【請求項８】
前記各放電セルは、六角形の平面形状を有する、請求項１に記載のプラズマディスプレイパネル。
【請求項９】
前記各放電セルは、長方形の平面形状を有する、請求項１に記載のプラズマディスプレイパネル。
【請求項１０】
前記第１方向に隣接する一対の前記放電セルの境界の延長線は、前記第２方向に隣接する前記放電セルの中心を通過するように配列される、請求項１に記載のプラズマディスプレイパネル。
【請求項１１】
前記第１方向に隣接する一対の前記放電セルの境界の延長線は、前記第２方向に隣接する放電セルの境界を通過するように配列される、請求項１に記載のプラズマディスプレイパネル。
【請求項１２】
前記一個の画素を構成する前記３個の放電セルのうちの２個は、前記第１方向に並んで隣接して配置される、請求項１に記載のプラズマディスプレイパネル。
【請求項１３】
前記維持電極および走査電極は、前記第１方向に沿って交互に配列される、請求項１に記載のプラズマディスプレイパネル。
【請求項１４】
前記３個の放電セルの中心は、二等辺三角形状に配置される、請求項１に記載のプラズマディスプレイパネル。
【請求項１５】
前記３個の放電セルの中心は、直角三角形状に配置される、請求項１に記載のプラズマディスプレイパネル。
【請求項１６】
前記維持電極および走査電極は、前記第１方向に沿って交互に配列されながら一緒に各放電セルに対応する、請求項１５に記載のプラズマディスプレイパネル。
【請求項１７】
前記維持電極および走査電極は、各放電セル当り一対ずつ対応し、
前記第１方向に沿って隣接する放電セルに対応する各維持電極および走査電極の対は、前記第１方向に沿って隣接する放電セルの境界に対して対称とされるように配列される、請求項１５に記載のプラズマディスプレイパネル
【請求項１８】
前記各画素は赤色、緑色、青色の放電セルを含む、請求項１に記載のプラズマディスプレイパネル。
【発明の詳細な説明】
【技術分野】
【０００１】
本発明は、プラズマディスプレイパネルに係り、より詳しくは、画素の高集積化が可能なように画素配列と電極配列を改善したプラズマディスプレイパネルに関するものである。
【背景技術】
【０００２】
一般に、プラズマディスプレイパネルは、気体放電により得られたプラズマから放射される真空紫外線が蛍光体を励起させることによって発生する各基本色である赤色（Ｒ）、緑色（Ｇ）、青色（Ｂ）の可視光を用いて、映像を実現するディスプレイ素子である。
【０００３】
このプラズマディスプレイパネルは、６０インチ以上の超大型画面をわずか１０ｃｍ以内の厚さで実現でき、ＣＲＴのような自発光ディスプレイ素子であるため色再現力および視野角による歪曲現象がない特性を有する。
【０００４】
また、このプラズマディスプレイパネルは、ＬＣＤなどに比べて製造工程が単純で、生産性および原価の面でも利点を有するＴＶ用および産業用平板ディスプレイとして脚光を浴びている。
【０００５】
プラズマディスプレイパネルには、３電極面放電型プラズマディスプレイパネルがある。この３電極面放電型プラズマディスプレイパネルは、同一基板面上に位置した維持電極と走査電極を備える基板と、これから一定の距離をおいて離隔して垂直方向に連なるアドレス電極を備える他の基板とが対向する密閉空間を形成し、その間に放電ガスを封入している。
【０００６】
このプラズマディスプレイパネルでの表示用放電の可否は、各駆動信号源に連結して独立的に制御される走査電極とアドレス電極の間の放電有無によって決定され、画面を表示する維持放電は同一基板面上に位置した維持電極と走査電極によって行われる。
【０００７】
図６および図７はそれぞれ従来のプラズマディスプレイパネルの画素および電極配列を示した平面図である。図６は直線状の帯形隔壁構造を有するプラズマディスプレイパネルを示しており、図７はジグザグに直線を組み合わせたデルタ形隔壁構造を有するプラズマディスプレイパネルを示している。
【０００８】
図６に示すように、帯形隔壁構造を有するプラズマディスプレイパネルにおいて、放電セルは放電ギャップを形成しながら、互いに対向する維持電極（Ｘｎ、．．．、Ｘｎ＋３）と走査電極（Ｙｎ、．．．、Ｙｎ＋３）の間に形成される。
【０００９】
１個の画素６１は、この放電セルのうちの互いに隣接した赤色、緑色、青色の放電セル（６１Ｒ、６１Ｇ、６１Ｂ）、つまり、３個の副画素から構成される。この時、アドレス電極６５は、１個の画素６１を構成する副画素である各基本色の放電セル（６１Ｒ、６１Ｇ、６１Ｂ）それぞれを通過するように形成される。
【００１０】
したがって、図示のように、４×４＝１６個の画素６１を考慮する時、各画素６１当り３本ずつ全部で１２本のアドレス電極６５（Ａｍ、Ａｍ＋１、．．．、Ａｍ＋１１）が必要となる。
【００１１】
しかしながら、プラズマディスプレイパネルが次第に高解像度の方向に発展することによって放電セル（６１Ｒ、６１Ｇ、６１Ｂ）を高密度集積させる場合、各放電セル（６１Ｒ、６１Ｇ、６１Ｂ）を通過するアドレス電極６５の配置間隔がますます短くなる。
【００１２】
これにより、隣接するアドレス電極６５間のキャパシタンス（Ｃ）値が増加して、必然的に無効エネルギー（＝ＣＶ２ｆ）の消耗が増加する結果になる。
【００１３】
また、図７に示されているように、デルタ形隔壁構造を有するプラズマディスプレイパネルでの放電セルは隔壁によって、独立的な六角形空間に区切られ、各画素７１の副画素７１Ｇ、７１Ｂ、７１Ｒは三角形の各頂点に配置される。このようにカラー表示画素は、互いに隣接して配置される赤色、緑色、青色の放電セル（７１Ｒ、７１Ｇ、７１Ｂ）つまり、３個の副画素から構成される。
【００１４】
この時、アドレス電極７５は１個の画素７１を構成する放電セル（７１Ｒ、７１Ｇ、７１Ｂ）それぞれを通過するように形成される。
【００１５】
この場合にも示されているように、４×４＝１６個の画素７１を考慮する時、各画素７１当り３本ずつ全部で１２本のアドレス電極７５（Ａｍ、Ａｍ＋１、．．．、Ａｍ＋１１）が必要となる。
【００１６】
しかしながら、プラズマディスプレイパネルが次第に高解像度の方向に発展することによって放電セル（７１Ｒ、７１Ｇ、７１Ｂ）を高密度集積させる場合、各放電セル（７１Ｒ、７１Ｇ、７１Ｂ）を通過するアドレス電極７５の配置間隔がますます短くなる。
【００１７】
これにより、隣接するアドレス電極７５間のキャパシタンス（Ｃ）値が増加して、必然的に無効エネルギー（＝ＣＶ２ｆ）の消耗が増加する結果になる。
【発明の開示】
【発明が解決しようとする課題】
【００１８】
そこで、本発明の目的は、画素の配列を改善して、各画素当り対応するアドレス電極数を減少させて走査電極数を増加させることによって、高解像度パネル製作に伴うアドレス消費電力の増加を抑制し、全体的に回路価格を低減できるプラズマディスプレイパネルを提供することにある。
【課題を解決するための手段】
【００１９】
上記課題を解決するための本発明の一実施形態によるプラズマディスプレイパネルは、互いに対向する対向面をそれぞれ有し、その間の空間を区切って複数の放電セルとする前面基板と背面基板、前記前面基板と前記背面基板の間で第１方向に沿って伸びて、形成されるアドレス電極、前記前面基板と前記背面基板の間で前記アドレス電極から電気的に離隔され、前記第１方向と交差する第２方向に沿って形成される維持電極と走査電極を備える。この場合、一個の画素を構成する３個の放電セルの各中心は三角形状に配置され、前記３個の放電セルのうちの２個は同一なアドレス電極に対応して駆動され、前記走査電極は各画素別に（３/２）本が対応して駆動できる。
【００２０】
前記各画素に配置される２本の前記アドレス電極のうちの、一本のアドレス電極は前記第１方向に隣接する２個の前記放電セルを通過するように配置され、他の一本のアドレス電極は残り１個の前記放電セルを通過するように配置できる。
【００２１】
前記各画素に配置される２本の走査電極のうちの、一本の走査電極は前記第２方向に隣接する２個の放電セルを通過するように配置され、前記他の一本の走査電極は残り１個の放電セルを通過するように配置されて対応できる。
【００２２】
前記（３/２）本の走査電極が対応する各画素には、（３/２)本の前記維持電極が対応できる。
【００２３】
前記同一なアドレス電極に対応する２個の放電セルは、互いに異なる色相の蛍光体層を有することができる。
【００２４】
前記維持電極と走査電極は一緒に各放電セルに対応し、ｎ×ｎに配列された画素配列で前記アドレス電極と前記走査電極は、アドレス電極数:走査電極数＝４:３の比を有するように配列できる。ここで、前記ｎは横方向または縦方向に引き続いて配列される画素の数を示す自然数である。
【００２５】
前記維持電極および走査電極それぞれは、前記第２方向にのびて形成されるバス電極と、前記バス電極より広い幅に前記バス電極に沿ってのびて形成される透明電極を含むことができる。
【００２６】
前記各放電セルは、六角形の平面形状または長方形の平面形状を有することができる。
【００２７】
前記第１方向に隣接する一対の前記放電セルの境界の延長線は、前記第２方向に隣接する前記放電セルの中心を通過するように配列できる。
【００２８】
前記第１方向に隣接する一対の前記放電セルの境界の延長線は、前記第２方向に隣接する放電セルの境界を通過するように配列できる。
【００２９】
前記一個の画素を構成する前記３個の放電セルのうちの２個は、前記第１方向に並んで隣接して配置できる。
【００３０】
前記維持電極および走査電極は、前記第１方向に沿って交互に配列できる。
【００３１】
前記３個の放電セルの中心は、二等辺三角形状に配置できる。
【００３２】
前記３個の放電セルの中心は、直角三角形状に配置できる。この場合、前記維持電極および走査電極は、前記第１方向に沿って交互に配列されながら各放電セルに一緒に対応できる。
【００３３】
また、前記維持電極および走査電極は、各放電セル当り一対ずつ対応し、前記第１方向に沿って隣接する放電セルに対応する各維持電極および走査電極の対は、前記第１方向に沿って隣接する放電セルの境界に対して対称になるように配列できる。
【００３４】
前記各画素は赤色、緑色、青色の放電セルを含むことができる。
【発明の効果】
【００３５】
以上説明したように本発明によるプラズマディスプレイパネルによれば、画素を構成する３個の副画素のうちの２個は同一なアドレス電極に対応し、一個の画素に（３/２）本の走査電極が対応する。一方で、本発明によれば、各画素当り対応するアドレス電極数が減少して走査電極数が増加するようになる。これによって、高解像度パネル製作に伴うアドレス消費電力の増加が抑制できる。
【００３６】
また、アドレス電極数が減少することによってアドレス電極に連結されるアドレス回路用素子数が減少するようになる。したがって、走査電極に連結される走査回路用素子数が増加するが、高価格のアドレス回路用素子が減少し、低価格の走査回路用素子が増加するので、パネル全体の回路価格を低減できる効果がある。
【発明を実施するための最良の形態】
【００３７】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。図面で本発明を明確に説明するために説明と関係ない部分は省略し、明細書全体を通じて同一または類似した構成要素に関しては同一な参照符号で示すものとする。
【００３８】
図１は、本発明の第１実施例によるプラズマディスプレイパネルを部分的に示した分解斜視図である。
【００３９】
図示のように、本実施形態によるプラズマディスプレイパネルは赤色、緑色、青色の可視光を発生させる３個の副画素が三角形状に配列されながら一組のカラー画素を形成するいわゆるデルタ形のプラズマディスプレイパネルとして構成されている。
【００４０】
これをより具体的に調べれば、このプラズマディスプレイパネルは、中間に任意の間隔をおいて実質的に平行に対向配置されながら、放電ガスが封入される背面基板１０と前面基板３０を備える。
【００４１】
この背面基板１０と前面基板３０の間には、所定の高さと、任意のパターンとを有しながら画素１２０を区画形成する隔壁２３が配置される。ここで、一組のカラー画素１２０は、前述のように三角形状に配置される３個の副画素（１２０Ｒ、１２０Ｇ、１２０Ｂ）からなる。
【００４２】
この時、副画素（１２０Ｒ、１２０Ｇ、１２０Ｂ）は、それぞれ放電セル１８を有しているが、この放電セル１８は隔壁２３によって区画形成される。
【００４３】
本実施形態でそれぞれの副画素（１２０Ｒ、１２０Ｇ、１２０Ｂ）の平面形状はほぼ六角形状になるので、この副画素（１２０Ｒ、１２０Ｇ、１２０Ｂ）を区画形成する隔壁２３も、また、六角形になるように形成される。したがって各副画素（１２０Ｒ、１２０Ｇ、１２０Ｂ）が有する放電セル１８は上部が開口された六角箱形状に構成される。
【００４４】
この放電セル１８内にはプラズマ放電に必要なキセノン（Ｘｅ）、ネオン（Ｎｅ）などを含む放電ガスが充填されている。前記の赤色（Ｒ）、緑色（Ｇ）、青色（Ｂ）の可視光をそれぞれ発生させる副画素（１２０Ｒ、１２０Ｇ、１２０Ｂ）には、それぞれに対応する赤色、緑色、青色の蛍光体層２５がそれぞれ形成される。この蛍光体層２５は、各放電セル１８の底面と隔壁２３の内側面に形成される。
【００４５】
複数のアドレス電極１５が、背面基板１０上で、第１方向（図面のｙ軸方向）に沿ってそれぞれ伸びて形成され、第２方向（本例では、図面のｘ軸方向）に隣り合って並んで配置される。このアドレス電極１５は、各放電セル１８の下方（つまり、背面基板と隔壁層の間）を通過するように配置される。
【００４６】
更に、誘電層１２がアドレス電極１５を覆いながら、背面基板１０の対向面全面に形成される。したがってアドレス電極１５は隔壁２３が形成する層の下部に配置される。
【００４７】
また、維持電極３２と走査電極３４は前面基板３０の対向面上で、第２方向（本例では、図面のｘ軸方向）に沿って伸びて形成される。この維持電極３２と走査電極３４は、各放電セル１８の領域内で互いに対応して放電ギャップを形成する。また、この維持電極３２と走査電極３４は、第１方向（本例では、図面のｙ軸方向）に隣り合って、1本ずつ交互に配置される。
【００４８】
この維持電極３２と走査電極３４それぞれは、バス電極（３２ａ、３４ａ）と透明電極（３２ｂ、３４ｂ）を含んで構成される。前記バス電極（３２ａ、３４ａ）は、前面基板３０に第２方向（本例では、図面のｘ軸方向）に沿って伸びて形成される。透明電極（３２ｂ、３４ｂ）は、このバス電極（３２ａ、３４ａ）より広い幅を有し、第２方向（図面のｘ軸方向）に沿ってバス電極（３２ａ、３４ａ）を覆う構造に形成される。
【００４９】
このバス電極（３２ａ、３４ａ）は優れた通電性を有する金属材料からなることが望ましい。このバス電極（３２ａ、３４ａ）はプラズマディスプレイパネル駆動時、放電セル１８で生成される可視光の遮蔽を最小化するために通電性を確保できる範囲内で可能な限り線幅を細くして形成されることが望ましい。
【００５０】
また、透明電極（３２ｂ、３４ｂ）は、ＩＴＯ（酸化インジウム錫）のような透明な材質で出来ていて、各バス電極（３２ａ、３４ａ）と一緒に第２方向（図面のｘ軸方向）に伸びて形成される。したがって一個の放電セル１８の領域内には、任意の間隔をおいて一対の透明電極（３２ｂ、３４ｂ）が平行配置（本例では対向配置）される。
【００５１】
また、前面基板３０の対向面上には維持電極３２と走査電極３４を覆いながら、前面基板３０の対向面全面に誘電層（図示せず）が形成され、その上にＭｇＯからなる保護膜（図示せず）が更に形成できる。
【００５２】
図２は、本発明の第１実施例によるプラズマディスプレイパネルの画素および電極配列を一部分示した平面図である。
【００５３】
図２を参照すれば、本実施形態で各画素１２０には２本のアドレス電極１５、１５が対応する。この各カラー画素１２０は、３個の副画素（１２０Ｒ、１２０Ｇ、１２０Ｂ）で構成されて、これら３個の副画素（１２０Ｒ、１２０Ｇ、１２０Ｂ）は赤色、緑色、青色の可視光をそれぞれ発生させる。なお、この説明用画素には、アドレス電極（Ａｍ＋７，Ａｍ＋８）と維持電極（Ｘｎ＋３，Ｘｎ＋４）および走査電極（Ｙｎ＋２，Ｙｎ＋３）が通り、斜線を描いて識別できるようにしている。
【００５４】
この画素１２０を構成する副画素（１２０Ｒ、１２０Ｇ、１２０Ｂ）の各中心は三角形状に配置される。本実施形態では、各副画素（１２０Ｒ、１２０Ｇ、１２０Ｂ）の中心が二等辺三角形状に配置される。また、画素１２０を構成する３個の副画素（１２０Ｒ、１２０Ｇ、１２０Ｂ）のうちで２個の副画素（１２０Ｇ、１２０Ｂ）は、第１方向（図面のｙ軸方向）に隣接して並んで配置される。この配置は、第１方向（図面のｙ軸方向）の放電空間を増大させて、放電に適した空間を形成するのでマージンを向上させる効果がある。
【００５５】
従って、前記２個の副画素（１２０Ｇ、１２０Ｂ）は同じアドレス電極（Ａｍ＋８）に対応する。そして、一個の画素１２０には２本の走査電極（Ｙｎ＋２，Ｙｎ＋３）が配置される。つまり、一個の画素１２０を構成する３個の副画素（１２０Ｒ、１２０Ｇ、１２０Ｂ）の放電は２本のアドレス電極（Ａｍ＋７，Ａｍ＋８）と２本の走査電極によって決定できる。
【００５６】
より具体的に説明すれば、各画素１２０を通過する２本のアドレス電極１５のうちの１本のアドレス電極１５は、第１方向（図面のｙ軸方向）に隣接する２個の放電セル１８、つまり、２個の副画素（１２０Ｇ、１２０Ｂ）を通過するように配置され、他の１本のアドレス電極は残り１個の放電セル１８、つまり、残り１個の副画素（１２０Ｒ）を通過するように配置される。同じ１本のアドレス電極１５が通過（対応）する２個の副画素（１２０Ｇ、１２０Ｂ）は互いに異なる色相の可視光を発生させる蛍光体層２５を有する。
【００５７】
また、各画素１２０を通過する２本の走査電極３４のうちの１本の走査電極（Ｙｎ＋３）は、第２方向（図面のｘ軸方向）に隣接する２個の放電セル１８、つまり、２個の副画素（１２０Ｒ、１２０Ｂ）を通過するように配置され、他の１本の走査電極（Ｙｎ＋２）は残り１個の放電セル１８、つまり、残り１個の副画素（１２０Ｇ）を通過するように配置される。１本の走査電極（Ｙｎ＋３）が配置される２個の放電セル１８は、互いに異なる色の可視光を発生させる蛍光体層２５を有する。
【００５８】
走査電極３４および維持電極３２は、各放電セル１８に一緒に対応（通過）するので、一個の画素１２０には２本の維持電極（Ｘｎ＋３、Ｘｎ＋４）が配置される。この維持電極（Ｘｎ＋３、Ｘｎ＋４）と走査電極（Ｙｎ＋３、Ｙｎ＋２）は一個の画素１２０の領域内でそれぞれ平行配置（本例では対向配置）される。
【００５９】
この画素１２０に対応する維持電極３２と走査電極３４の配列は、反復的に配置される画素１２０の選択により、前記のように設定されてもよく、異なって設定されてもよい。
【００６０】
本実施形態で、各副画素（１２０Ｒ、１２０Ｇ、１２０Ｂ）を構成する各放電セル１８は六角形の平面形状を有するように形成される。したがって、この放電セル１８は６方向の辺による境界を形成する。したがって、アドレス電極１５と平行な方向（図面のｙ軸方向）に沿って隣接する一対の放電セル１８の境界延長線はアドレス電極１５と交差する方向（本例では、図面のｘ軸方向）に沿って隣接する放電セル１８の中心を通過する。
【００６１】
本実施形態では、一個の画素１２０を形成する３個の副画素（１２０Ｒ、１２０Ｇ、１２０Ｂ）の中心が三角形状に配置されるにもかかわらず、維持電極３２と走査電極３４は直線形状に形成されている。
【００６２】
したがって、維持電極３２と走査電極３４は平面上で第２方向（本例では、図面のｘ軸方向）に副画素（１２０Ｒ、１２０Ｇ、１２０Ｂ）のうちの少なくとも一個の副画素を通過するように配置される。本実施形態で維持電極３２と走査電極３４それぞれは、３個の副画素（１２０Ｒ、１２０Ｇ、１２０Ｂ）のうちの２個の副画素を通過するように配置される。
【００６３】
走査電極３４（Ｙｎ＋３）は、一個の画素１２０内で第２方向（本例では、図面のｘ軸方向）に隣接する２個の副画素（１２０Ｒ、１２０Ｂ）を通過しながら共通の電圧を印加するようになり、他の走査電極３４（Ｙｎ＋２）は前記画素１２０内で１個の副画素（１２０Ｇ）だけを通過しながら電圧を印加するようになる。
【００６４】
維持電極３２は、走査電極３４に平行して配置されるので、維持電極３２（Ｘｎ＋４）は走査電極３４（Ｙｎ＋３）に平行し、本例では更に対向しながら一個の画素１２０内で１個の副画素（１２０Ｂ）だけを通過しながら電圧を印加するようになる。他の維持電極３２（Ｘｎ＋３）は、一個の画素１２０内で残り２個の副画素（１２０Ｒ、１２０Ｇ）に対応（通過）して、共通の電圧を印加するようになる。また、この維持電極３２（Ｘｎ＋３）は、第１方向（図面のｙ軸方向）に隣り合って走査電極３２（Ｙｎ＋３）と走査電極３２（Ｙｎ＋２）間に配列される。
【００６５】
したがって、この走査電極３４と維持電極３２はアドレス電極１５と平行な方向（図面のｙ軸方向）に隣り合って交互に配列されて、各放電セル１８の駆動を制御する。
【００６６】
図２に示されているように、第２方向（本例では、図面のｘ軸方向）に沿って４列の画素１２０が配列され、第１方向（図面のｙ軸方向）に沿って４行の画素１２０が配列される時、４×４＝１６個の画素１２０を通過する走査電極３４は６本であり、アドレス電極１５は８本である。つまり、各画素１２０当り８/４＝２本のアドレス電極１５が対応し、６/４=（３/２）本の走査電極３４が対応する。また、各画素１２０当り（３/２）本の維持電極３２が対応する。
【００６７】
つまり、ｎ×ｎに配列された画素配列で各画素１２０別に２本のアドレス電極１５と（３/２）本の走査電極３４が対応する場合、アドレス電極１５と走査電極３４は次の数式１の比を満足する。ここでｎは横方向または縦方向に引き続いて配列される画素の数を示す自然数である。
【００６８】
［数式１］
アドレス電極数:走査電極数=４:３
【００６９】
これをより具体的に調べれば、４×４に配列された画素配列では総１６個の画素１２０が配置される。この場合、アドレス電極１５は各画素１２０の列当り２本ずつ対応するので、総１６個の画素１２０に総８本のアドレス電極１５（Ａｍ＋１、．．．、Ａｍ＋８）が対応し、走査電極３４は各画素１２０の行当り（３/２）本ずつ対応するので、総１６個の画素１２０に総６本の走査電極３４（Ｙｎ＋１、．．．、Ｙｎ＋６）が対応する。維持電極３２は、各画素１２０別に走査電極３４と同一に対応して、総１６個の画素１２０に６本の維持電極（Ｘｎ＋１、．．．、Ｘｎ＋６）が対応する。
【００７０】
この画素配列において、同じアドレス電極１５に対応する隣接した２個の副画素（１２０Ｇ、１２０Ｂ）は互いに異なる色の蛍光体層を有する。またこのように対応しながら、一本のアドレス電極１５には互いに異なる色の蛍光体層を有する副画素（１２０Ｒ、１２０Ｇ、１２０Ｂ）が全て対応できる。
【００７１】
これを図６および図７に示した従来のプラズマディスプレイパネルと比較する時、４ｘ４の画素、つまり、総１６個の画素を考慮する場合に、従来は総１２本のアドレス電極が必要なことに比べて、本実施形態では総８本のアドレス電極１５のみが必要となる。
【００７２】
従って、本実施形態は同じ画素数を維持しながらも、アドレス電極１５の本数を減少させる。
【００７３】
一方、従来は総４本の走査電極が必要なことに比べて、本実施形態では総６本の走査電極３４が必要となる。したがって、同じ画素数を維持しながらも、本実施形態は走査電極３４の本数を増加させる。
【００７４】
つまり、第１実施例によるプラズマディスプレイパネルのアドレス電極１５の本数は従来のアドレス電極の本数に比べて、１/３減少して、アドレス電極１５の端子部設計が容易である。
【００７５】
これによって、アドレス電極１５の消費電力が従来の消費電力に比べて、１/３減少する。また、アドレス電極１５を制御するアドレス回路素子（例えば、半導体集積回路“Ｔａｐｅ  Ｃａｒｒｉｅｒ  Ｐａｃｋａｇｅ；ＴＣＰ”を挙げることができる。）当りのピークパワーが従来のそれに比べて１/３減少する。走査回路素子は、アドレス回路素子に比べて低価格であるので、走査回路素子の増加にもかかわらず、アドレス回路素子の減少によってパネルを駆動させる全体的な回路の価格は低減される。
【００７６】
以下、本発明の多様な実施形態について説明する。本発明の多様な実施形態は第１実施例とその構造および作用が互いに類似しているので差異点を中心に説明する。
【００７７】
図３は、本発明の第２実施例によるプラズマディスプレイパネルの画素および電極配列を一部分示した平面図である。
【００７８】
図３を参照すれば、第２実施例で各副画素（２２０Ｒ、２２０Ｇ、２２０Ｂ）を構成する放電セル２８は長方形の平面形状に形成される。これは、放電セル２８の平面形状を多様に実現できるということを例示的に示す。
【００７９】
図４は、本発明の第３実施例によるプラズマディスプレイパネルの画素および電極配列を一部分示した平面図である。
【００８０】
図４を参照すれば、第３実施例で各副画素（３２０Ｒ、３２０Ｇ、３２０Ｂ）を構成する放電セル３８は長方形の平面形状に形成される。だが、第２実施例とは違って、一個の画素３２０を構成する３個の副画素（３２０Ｒ、３２０Ｇ、３２０Ｂ）の中心が直角三角形状に配置される。つまり、第１方向（図面のｙ軸方向）に隣接する一対の放電セル３８の境界の延長線は、第２方向（図面のｘ軸方向）に隣接する放電セル３８の境界を通過するように配列される。そして、維持電極３３２および走査電極３３４は第１方向（図面のｙ軸方向）に沿って交互に配列される。本実施形態によれば、従来と同一な画素数を維持しながらも、アドレス電極１５の本数を減少させる。これによって消費電力が低減できる。
【００８１】
図５は、本発明の第４実施例によるプラズマディスプレイパネルの画素および電極配列を一部分示した平面図である。
【００８２】
図５を参照すれば、第４実施例は第３実施例と電極配列において差がある。つまり、維持電極４３２および走査電極４３４は各放電セル４８当り一対ずつ対応して、第１方向（図面のｙ軸方向）に隣り合って配置される放電セル４８に対応する各維持電極４３２および走査電極４３４の対は、第１方向に隣り合って配置される放電セル４８の境界に対して対称になるように配列される。例えば、第１方向に隣接する一対の放電セル４８に対応する維持電極４３２と走査電極４３４の対は、維持電極４３２、走査電極４３４、走査電極４３４、維持電極４３２の順序に配列できる。このような配列により、従来と同一な画素数を維持しながらも、アドレス電極１５の本数が減少でき、これによって消費電力が低減できる。
【００８３】
下記表１は、本発明の実施形態によるプラズマディスプレイパネルと、それとは異なる比較例のプラズマディスプレイパネルについて、各パネルのアドレス電極１５に連結されるＴＣＰの数、その価格、走査電極３４に連結される走査端子数、走査端子に連結される走査素子の価格、および全体的な回路価格を相対的に比較している。
【００８４】
実施形態は、解像度１９２０ｘ１０８０（ＦＨＤ級）のデュアル駆動方式の本発明の第１〜第４実施例によるプラズマディスプレイパネルである。比較例１は、解像度１９２０ｘ１０８０（ＦＨＤ級）のデュアル駆動方式の帯形副画素配列を有するプラズマディスプレイパネルである。比較例２は、解像度１９２０ｘ１０８０（ＦＨＤ級）のデュアル駆動方式のデルタ形副画素配列を有するプラズマディスプレイパネルである。
【００８５】
【表１】
2007019026.tif 000003
【００８６】
表１に示すように、比較例１〜比較例２のパネルで解像度１９２０ｘ１０８０の場合、アドレス電極に連結されるＴＣＰの数は６０である。ＴＣＰの数が増加すれば、これによりアドレス消費電力が増加し、隣接した放電セルとの距離が近くなる。このように距離が近くなることによりアドレス電極間にクロストークが増加し、これにより消費電力が増加される。
【００８７】
これに比べて、実施形態のパネルでは解像度が同じ１９２０ｘ１０８０であるにもかかわらず、アドレス電極１５に連結されるＴＣＰの数が４０で比較例に比べて大幅に減少された。したがって、実施形態は同レベルの解像度を示す例の中でアドレス消費電力の消耗が一番少ないことを確認できる。
【００８８】
また、実施形態のパネルでは、走査電極３４が連結される走査端子数が比較例の１０８０に比べて、１６２０まで増加したことが分かる。この走査端子数の増加は走査素子数を増加させる。
【００８９】
しかしながら、走査素子の価格がＴＣＰの価格に比べて相対的に低いので、実施形態で全体的な回路価格は、比較例に比べて相対的に低いということが分かる。
【００９０】
以上、本発明の好ましい実施形態について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００９１】
【図１】本発明の第１実施例によるプラズマディスプレイパネルを部分的に示した分解斜視図である。
【図２】本発明の第１実施例によるプラズマディスプレイパネルの画素および電極配列を一部分示した平面図である。
【図３】本発明の第２実施例によるプラズマディスプレイパネルの画素および電極配列を一部分示した平面図である。
【図４】本発明の第３実施例によるプラズマディスプレイパネルの画素および電極配列を一部分示した平面図である。
【図５】本発明の第４実施例によるプラズマディスプレイパネルの画素および電極配列を一部分示した平面図である。
【図６】従来のプラズマディスプレイパネルの画素および電極配列を一部分示した平面図である。
【図７】従来のプラズマディスプレイパネルの画素および電極配列を一部分示した平面図である。
【符号の説明】
【００９２】
１５  アドレス電極
１８  放電セル
２５  蛍光体層
３２  維持電極
３４  走査電極
１２０  画素
１２０Ｒ、１２０Ｇ、１２０Ｂ  副画素
【図１】
2007019026.tif 000004
【図２】
2007019026.tif 000005
【図３】
2007019026.tif 000006
【図４】
2007019026.tif 000007
【図５】
2007019026.tif 000008
【図６】
2007019026.tif 000009
【図７】
2007019026.tif 000010